(57)【要約】      （修正有）【課題】外壁パネルが大型で重量が重く、また庇等のオーバーハング部の突出長が長い場合には、従来の技術では、その取り付けが困難であり、外壁パネルの吊り姿勢が、上下方向となるため、風の影響を受けやすく、風が強い場合にはバランスを保持するのが困難であった。【解決手段】下側に外壁パネルの支持部４を設けた水平フレーム５の上側中央部にクレーンによる吊持部６を突設して第１の部材１を構成すると共に、第１の部材１の前記水平フレームの一端側に、第２の部材２を上下方向に回動可能に連結して構成し、第２の部材２には、外壁パネルを取り付ける建築物の柱体を把持する把持部１１と、上下位置調整可能なジャッキ９ａ，９ｂを設けると共に、上記水平フレーム５の一端側と第２の部材２には、第２の部材の所定以上の回動を阻止するストッパー手段Ｓを設けた建築物の外壁パネル取付用吊り治具Ａを用いる。【選択図】      図１
2004162287.tif 000002
【特許請求の範囲】
【請求項１】
下側に外壁パネルの支持部を設けた水平フレームの上側中央部にクレーンによる吊持部を突設して第１の部材を構成すると共に、第１の部材の前記水平フレームの一端側に、第２の部材を上下方向に回動可能に連結して構成し、第２の部材には、外壁パネルを取り付ける建築物の柱体を把持する把持部と、上下位置調整可能なジャッキを設けると共に、上記水平フレームの一端側と第２の部材には、第２の部材の所定以上の回動を阻止するストッパー手段を設けたことを特徴とする建築物の外壁パネル取付用吊り治具
【請求項２】
第２の部材は、縦フレームの下部左右端側から前方に支持腕を突設し、その先端にジャッキを上下方向に回動可能に連結すると共に、縦フレームの上部中央側に左右一対の把持用支持腕を突設し、いずれか一方側の把持用支持腕の端部に把持腕を旋回可能に連結すると共に、この把持腕の端部を他方側の把持用支持腕の端部に固定可能に構成したことを特徴とする請求項１に記載の建築物の外壁パネル取付用吊り治具
【請求項３】
第１の部材の水平フレームの他端側に、スライドさせてバランス重さを調節可能なスライド式バランスウェイトを設けたことを特徴とする請求項１又は２に記載の建築物の外壁パネル取付用吊り治具
【請求項４】
把持腕の内側と、縦フレームの下部の前方側に滑り部材を設けたことを特徴とする請求項１〜３のいずれか１項に記載の建築物の外壁パネル取付用吊り治具
【請求項５】
ジャッキは、手動操作のスクリュージャッキであることを特徴とする請求項１〜４のいずれか１項に記載の建築物の外壁パネル取付用吊り治具
【請求項６】
請求項１〜５に記載の吊り治具と、外壁パネル側及び建築物側の取付機構部材とから成り、外壁パネル側の取付機構部材は、荷重受けボルトを下方に突設したファスナー荷重受け部材として構成すると共に、建築物側の取付機構は、該吊り治具の把持腕と把持用支持腕により把持される柱体と、ジャッキの支持部と、上記荷重受けボルトが嵌合するファスナー穴とから構成したことを特徴とする建築物の外壁パネル取付機構
【発明の詳細な説明】
【０００１】
【発明の属する技術分野】
本発明は、建築物の外壁パネル取付用吊り治具、特に庇等のオーバーハング部を有する建築物の外壁パネルを取り付ける際に用いる外壁パネル取付用吊り治具に関するものである。
【０００２】
【従来の技術】
庇等のオーバーハング部を有する建築物において、建築資材等を各階に搬入する際に用いる従来の方法や治具としては、例えば特開平５−３４６０６４号公報に記載されているものがある。
【０００３】
この文献に記載されている方法は、資材の上方に吊りワイヤーを、そして資材の下方に牽引ワイヤーと引き込みワイヤーを軸支して装着した棒状材より成る吊り治具を、前記吊りワイヤーにクレーン等のフックを引っ掛けて資材を吊り下げ、資材を搬入位置に下降させつつ、前記引き込みワイヤーのフリー端を資材搬入階の上階の梁等に装備した吊り治具に係止し、資材の下端を搬入階に接近させ、前記牽引ワイヤーを搬入階に牽引することにより、資材を目的階に搬入するようにしたものである。
【０００４】
【発明が解決しようとする課題】
このような従来技術を外壁パネルの取り付けに利用しようとした場合、外壁パネルが大型で重量が重く、また庇等のオーバーハング部の突出長が長い場合には、その取り付けが困難である。また外壁パネルの吊り姿勢が、上下方向となるため、風の影響を受けやすく、風が強い場合にはバランスを保持するのが困難であるというような課題がある。
そこで、本発明は、このような課題を解決することを目的とするものである。
【０００５】
【課題を解決するための手段】
上述した課題を解決するために、請求項１の発明では、側に外壁パネルの支持部を設けた水平フレームの上側中央部にクレーンによる吊持部を突設して第１の部材を構成すると共に、第１の部材の前記水平フレームの一端側に、第２の部材を上下方向に回動可能に連結して構成し、第２の部材には、外壁パネルを取り付ける建築物の柱体を把持する把持部と、上下位置調整可能なジャッキを設けると共に、上記水平フレームの一端側と第２の部材には、第２の部材の所定以上の回動を阻止するストッパー手段を設けた構成の建築物の外壁パネル取付用吊り治具を提案する。
【０００６】
また請求項２の発明では、請求項１の発明において、第２の部材は、縦フレームの下部左右端側から前方に支持腕を突設し、その先端にジャッキを上下方向に回動可能に連結すると共に、縦フレームの上部中央側に左右一対の把持用支持腕を突設し、いずれか一方側の把持用支持腕の端部に把持腕を旋回可能に連結すると共に、この把持腕の端部を他方側の把持用支持腕の端部に固定可能に構成することを提案する。
【０００７】
また請求項３の発明では、請求項１又は２の発明において、第１の部材の水平フレームの他端側に、スライドさせてバランス重さを調節可能なスライド式バランスウェイトを設けることを提案する。
【０００８】
また請求項４の発明では、請求項１〜３のいずれかの発明において、把持腕の内側と、縦フレームの下部の前方側に滑り部材を設けることを提案する。
【０００９】
また請求項５の発明では、請求項１〜４のいずれかの発明において、ジャッキは、手動操作のスクリュージャッキとすることを提案する。
【００１０】
また請求項６の発明では、請求項１〜５に記載の吊り治具と、外壁パネル側及び建築物側の取付機構部材とから成り、外壁パネル側の取付機構部材は、荷重受けボルトを下方に突設したファスナー荷重受け部材として構成すると共に、建築物側の取付機構は、該吊り治具の把持腕と把持用支持腕により把持される柱体と、ジャッキの支持部と、上記荷重受けボルトが嵌合するファスナー穴とから構成した建築物の外壁パネル取付機構を提案する。
【００１１】
本発明において、外壁パネルは、水平フレームの下側に設けた支持部により支持し、この状態で水平フレームの上側中央部に突設した吊持部に通した吊持用ワイヤーにクレーンのフックを引っ掛けて吊り上げ、取り付ける位置まで移動する。尚、この際、第２の部材は、ストッパー手段により、第１の部材に対して所定以上の回動が阻止された状態としておく。
【００１２】
このように外壁パネルを吊り治具に支持してクレーンにより建築物の取付位置に移動する際、本発明の吊り治具による外壁パネルの吊り姿勢は水平状態であるため、風の影響を受けにくく、ある程度の風があってもバランスの保持が容易である。
【００１３】
取付位置においては、本発明の吊り治具は、第２の部材側を建築物の所定位置側に向けて、クレーンによりゆっくりと前進させ、こうして第２の部材を建築物の所定位置に至らせる。
【００１４】
本発明において吊り治具は、水平フレームの上側中央部に突設した吊持部を以てクレーンにより移動させるので、建築物に庇等のオーバーハング部が有っても、第２の部材を容易に建築物の所定位置に至らせることができる。
【００１５】
こうして第２の部材を所定位置に移動させた後、この第２の部材の把持部により建築物側の柱体を把持すると共に、ジャッキを建築物の支持部に当接させる。こうして本発明の吊り治具の第２の部材を建築物側に固定することができる。
【００１６】
このように第２の部材を建築物側に固定した後、ストッパー手段を解除して、クレーンのフックを次第に下げて行くと、第１の部材は、第２の部材との回動連結位置を支点として、外壁パネルと共に、それらの自重により次第に回動下降して行き、遂には外壁パネルの取付姿勢に至る。
【００１７】
この状態において、ジャッキを動作させて第２の部材を上下動させることにより外壁パネルの高さを調節することができ、この状態で取付を行うことができる。
【００１８】
請求項６の取付機構においては、外壁パネルが取付姿勢に至って、外壁パネル側の荷重受けボルトがファスナー穴に位置決めされた状態において、ジャッキを動作させて第２の部材と共に第１の部材を下降させることにより、荷重受けボルトをファスナー穴に嵌合させることができ、こうして外壁パネルの高さの調節と取付の位置決めを行うことができる。
【００１９】
【発明の実施の形態】
次に本発明の実施の形態を図１〜図８を参照して説明する。
図において、符号Ａは本発明の吊り治具を概して示すもので、本発明の吊り治具Ａは、第１の部材１と第２の部材２とから構成している。第１の部材１は下側に外壁パネル３の支持部４を設けた水平フレーム５の上側中央部にクレーンによる吊持部６を突設して構成している。支持部４による外壁パネル３の支持構造はボルトを用いる等、適宜である。
【００２０】
一方、第２の部材２は、縦フレーム７の下部左右端側から前方に支持腕８ａ，８ｂを突設し、その先端にジャッキ９ａ，９ｂを上下方向に回動可能に連結すると共に、縦フレーム７の上部中央側に左右一対の把持用支持腕１０ａ，１０ｂを突設し、いずれか一方側の把持用支持腕、この場合、把持用支持腕１０ａの端部に把持腕１１を旋回可能に連結すると共に、この把持腕１１の端部を他方側の把持用支持腕１０ｂの端部に固定可能に構成している。把持腕１１の端部を他方側の把持用支持腕１０ｂの端部に固定可能とする構成は、図においては、夫々に形成した連結穴１２ａ，１２ｂに連結ピン１３を嵌合して固定する構成としている。そして把持腕１１の内側と、縦フレーム７の下部の前方側には、テフロン（登録商標）板等の滑り部材１４を設けている。また、この実施の形態において、ジャッキ９（９ａ，９ｂ）は、手動操作のスクリュージャッキとして構成している。
【００２１】
そして、上記水平フレーム５の一端側と第２の部材２には、この第２の部材２の所定以上の回動を阻止するストッパー手段Ｓを設けている。このストッパー手段は、水平フレーム５の一端側に上下方向に回動可能に固定され、先端側に長孔１５を設けた支持リンク１６と、縦フレーム７の上端に突設して、上記長孔１５に沿って移動可能に嵌合する固定部材１７を取付可能に構成した支持片１８とから構成している。また第１の部材１の水平フレーム５の他端側にはスライドさせてバランス重さを調節可能なスライド式バランスウエイト１９を設けている。
【００２２】
一方、外壁パネル３には、建築物に取付けた際、建築物の内側に対応する個所に、ファスナー荷重受け部材２０を設け、この荷重受け部材２０に荷重受けボルト２１を突設している。
【００２３】
一方、建築物側には、上記吊り治具Ａの把持腕１１と把持用支持腕１０ａ，１０ｂにより把持される柱体２２と、ジャッキ９（９ａ，９ｂ）の支持部２３と、上記荷重受けボルト２１が嵌合するファスナー穴２４を設けている。
【００２４】
以上の構成において、本発明の外壁パネル取付用吊り治具Ａは、まず、ストッパー手段Ｓを動作させ、即ち、第２の部材２の支持片１８に、支持リンク１６の長孔１５に沿ってのみ移動可能な固定部材１７を固定することにより、第２の部材２が、第１の部材１に対して所定以上の回動が阻止された状態とする。図３は回動が阻止された状態を示すものである。
【００２５】
次いでこの状態で、水平フレーム５の上側中央部に突設した吊持部６に通した吊持用ワイヤー２５にクレーン（図示省略）のフック２６を引っ掛けて吊り上げ、そして取り付けるべき外壁パネル３の所定位置まで移動して、水平フレーム５の下側の支持部４に外壁パネル３を固定する。
【００２６】
この状態で、再び、クレーンにより吊り上げて、吊り治具Ａに支持されている外壁パネル３を建築物の所定位置まで移動する。
【００２７】
このように外壁パネル３を吊り治具Ａに支持してクレーンにより建築物の取付位置に移動する際、吊り治具Ａによる外壁パネル３の吊り姿勢は水平状態であるため、風の影響を受けにくく、ある程度の風があってもバランスの保持が容易である。
【００２８】
次いで、外壁パネル３の取付位置においては、吊り治具Ａを、その第２の部材２側を建築物の所定位置側に向けて、クレーンによりゆっくりと前進させ、こうして第２の部材２を建築物の所定位置に至らせる。
【００２９】
本発明において吊り治具Ａは、水平フレーム５の上側中央部に突設した吊持部６を以てクレーンにより移動させるので、建築物に庇２７等のオーバーハング部が有っても、第２の部材２を容易に建築物の所定位置に至らせることができる。
【００３０】
こうして第２の部材２を建築物の所定位置に移動させ、この第２の部材２の把持用支持腕１０ａ，１０ｂの間に建築物の柱体２２が位置するようにした後、建築物側の作業員により、図６に示すように一方側の把持用支持腕１０ａに旋回可能に支持されている把持腕１１を旋回させて、他方側の把持用支持腕１０ｂの先端に固定する。一方、この際、第２の部材２の縦フレーム７の下部の前方側の滑り部材１４は柱体２２の外側面に当接している。以上のことから第２の部材２の横方向の移動が阻止され、これと同時にジャッキ９ａ，９ｂを建築物の支持部２３に当接させて、下方への移動を阻止することにより、第２の部材２を建築物側に固定することができる。このように固定した状態を図４及び図５に示す。
【００３１】
このように第２の部材２を建築物側に固定した後、ストッパー手段Ｓを解除して、クレーンのフックを次第に下げて行くと、図７に示すように第１の部材１は、第２の部材２との回動連結位置Ｏを支点として、外壁パネル３と共に、それらの自重により次第に回動下降して行き、遂には図８に示すように外壁パネル３の取付姿勢に至る。
【００３２】
このように外壁パネル３が取付姿勢に至ると、外壁パネル３のファスナー荷重受け部材２０から突設している荷重受けボルト２１が、建築物側のファスナー穴２４に位置決めされた状態となるので、この状態においてジャッキ９ａ，９ｂを動作させて第２の部材２と共に第１の部材１を下降させることにより、荷重受けボルト２１をファスナー穴２４に嵌合させてることができ、こうして外壁パネル３の高さの調節と取付の位置決めを行うことができる。
【００３３】
このように位置決めされた後、適宜の取付機構により、外壁パネル３を建築物に取り付けることができる。
【００３４】
【発明の効果】
本発明は以上のとおりであるので、外壁パネルが大型で重量が重く、また庇等のオーバーハング部の突出長が長い場合にも、安全且つ容易に建築物の所定位置に取り付けることができる。
【００３５】
特に本発明では、外壁パネルを吊り治具に支持してクレーンにより建築物の取付位置に移動する際、本発明の吊り治具による外壁パネルの吊り姿勢は水平状態であるため、風の影響を受けにくく、ある程度の風があってもバランスの保持が容易である。
【図面の簡単な説明】
【図１】吊り治具の斜視図である。
【図２】吊り治具の正面図である。
【図３】第１の部材に対する第２の部材の回動が阻止された状態を示す要部の側面図である。
【図４】第２の部材を建築物側に固定した状態を示す全体の側面図である。
【図５】第２の部材を建築物側に固定した状態を示す要部の側面図である。
【図６】第２の部材を建築物側に固定する動作を示す要部の平面図である。
【図７】第１の部材が第２の部材に対して次第に回動下降して行く状態を示す要部の側面図である。
【図８】第１の部材と共に外壁パネルが回動下降して、建物に対する所定の取付け位置に至った取付け状態を示す全体の側面図である。
【符号の説明】
Ａ                  外壁パネル取付用吊り治具
Ｓ                  ストッパー手段
Ｏ                  回動連結位置
１                  第１の部材
２                  第２の部材
３                  外壁パネル
４                  支持部
５                  水平フレーム
６                  吊持部
７                  縦フレーム
８ａ，８ｂ          支持腕
９ａ，９ｂ          ジャッキ
１０ａ，１０ｂ      把持用支持腕
１１                把持腕
１２ａ，１２ｂ      連結穴
１３                連結ピン
１４                滑り部材
１５                長孔
１６                支持リンク
１７                固定部材
１８                支持片
１９                スライド式バランスウェイト
２０                ファスナー荷重受け部材
２１                荷重受けボルト
２２                柱体
２３                支持部
２４                ファスナー穴
２５                吊持用ワイヤー
２６                フック
２７                庇
【図１】
2004162287.tif 000003
【図２】
2004162287.tif 000004
【図３】
2004162287.tif 000005
【図４】
2004162287.tif 000006
【図５】
2004162287.tif 000007
【図６】
2004162287.tif 000008
【図７】
2004162287.tif 000009
【図８】
2004162287.tif 000010